(57)【要約】【課題】自立可能で、より使い易い洗眼容器を提供する。【解決手段】洗眼容器１Ａは、有底筒状の容器本体部１０と、洗眼容器１Ａを自立させるための脚部２０と、当該脚部２０と容器本体部１０とを連結する連結部２５とを含み、これらが弾性変形可能な同一材料により一体に形成された構成を有する。容器本体部１０は、その開口部を含む断面楕円形状の洗眼部１１と、当該洗眼容器１Ａの底部を形成しかつ圧搾操作力を受けることで洗眼容器１Ａ内の眼液を撹拌する圧搾部１２とを含む。脚部２０は、筒状を成し、洗眼部１１の短軸方向において圧搾部１２の両側の位置で当該圧搾部１２に連結部２５を介して連結されている。【選択図】図７
2014133025.tif 000002
【特許請求の範囲】
【請求項１】
洗眼容器であって、
有底筒状の容器本体部と、当該容器本体部が上向きに開口する姿勢で当該洗眼容器を自立させるための脚部と、当該脚部と前記容器本体部とを連結する連結部とを含み、
前記容器本体部は、その開口部を含む断面楕円形状の洗眼部と、当該容器本体部の底部を形成し、かつ前記洗眼部の短軸方向に沿った圧搾操作力を受けることにより変形して当該容器本体部内に収容された洗眼液を撹拌する圧搾部とを含み、
前記脚部は、前記短軸方向における前記圧搾部の両側に位置しかつ弾性変形可能に形成され、前記連結部を介して前記圧搾部の側面に連結されることで、当該脚部の外側から前記連結部を介して前記圧搾部に前記圧搾操作力を入力可能に設けられていることを特徴とする洗眼容器。
【請求項２】
請求項１に記載の洗眼容器において、
前記容器本体部、前記脚部および前記連結部が弾性変形可能な同一材料により一体に形成されていることを特徴とする洗眼容器。
【請求項３】
請求項１又は２に記載の洗眼容器において、
前記脚部は、前記圧搾部を包囲する筒状であり、前記短軸方向における前記圧搾部の両側の位置で前記連結部を介して前記圧搾部の側面に連結されていることを特徴とする洗眼容器。
【請求項４】
請求項３に記載の洗眼容器において、
前記脚部は、その外側面が前記洗眼部の外側面に連続するスカート状に形成されるとともに、当該脚部のうちその周方向における前記連結部の位置であってかつ当該連結部よりも前記洗眼部側の位置に開口部を備えていることを特徴とする洗眼容器。
【請求項５】
請求項１乃至４の何れか一項に記載の洗眼容器において、
前記連結部は、前記脚部側から前記圧搾部側に向かって先細りに形成されていることを特徴とする洗眼容器。
【発明の詳細な説明】
【技術分野】
【０００１】
本発明は、洗眼液で眼を洗浄する際に使用する洗眼容器に関するものである。
【背景技術】
【０００２】
洗眼容器として、従来、例えば特許文献１に開示されるものが知られている。この洗眼容器は、図１３（ａ）に示すように、洗眼液を収容する略楕円錐状の容器本体部３１と、洗眼容器３０を自立させるための脚部３２とを備えており、これらがエラストマー等の材料により一体成形されたものである。この洗眼容器３０を用いて眼を洗浄するには、まず、容器本体部３１に適量の洗眼液を収容し、顔面を下向きにして、目元を覆うように洗眼容器３０を顔面に押し当てる。そしてこの状態で、容器本体部３１の底部に形成された先細り形状の圧搾部３１ａを摘んで繰り返し圧搾し、容器本体部３１内の洗眼液を撹拌しつつその洗眼液に眼の表面を浸すようにする。
【０００３】
このように顔面を下向きにした状態で眼の洗浄を行う洗眼容器３０においては、適量の洗眼液を効率良くかつ適切に撹拌するために、容器本体部３１の底部に、上記のような先細り形状の圧搾部３１ａを設けることが必要不可欠である。当該特許文献１の洗眼容器３０は、この点に鑑み、上記脚部３２を設けることで洗眼容器３０の利便性を高めている。つまり、この構成によれば、洗眼中に所用ができた場合でも、容器本体部３１に洗眼液を収容しままで自立させておくことができるため、洗眼液を無駄にしなくて済み、また、自立させた状態で保管できるため、置き場所を選ばないという利点もある。
【先行技術文献】
【特許文献】
【０００４】
【特許文献１】特許第４４３２０７５号公報
【発明の概要】
【発明が解決しようとする課題】
【０００５】
特許文献１に開示される従来の洗眼容器３０は、自立可能という利点があるものの、次のような欠点がある。すなわち、洗眼容器３０は、圧搾部３１ａの両側の位置、詳しくは圧搾部３１ａを挟んで目元側および目尻側の位置にそれぞれ脚部３２が設けられている。そのため、洗顔時には、図１３（ｂ）に示すように、必然的に圧搾部を指先だけで摘み、その指先を顔面に向けた状態で圧搾部３１ａを圧搾操作する必要がある。この場合には、洗眼容器３０を持った腕を体幹に引き寄せて脇を締め、さらにその肘を胸の前当たり置いた状態で圧搾操作を行うこととなるため、姿勢が窮屈になり操作性が良いものとは言えない。特に、利き手に洗眼容器３０を持ち、利き手側とは異なる側の眼を洗浄する場合や、利き手と異なる手で洗眼容器３０を持って洗眼を行うような場合には、より操作が行い難くなる。また、爪を延ばした女性ユーザなどは、圧搾部３１ａを安定的に摘むことが著しく困難になるばかりでなく、時に、手がぬれた状態で操作した際に手がすべるなど操作性に改善の余地があった。
【０００６】
本発明は、上記の事情に鑑みて成されたものであり、自立可能な構成を維持しつつ、より使いやすく、安定感に優れた眼容器を提供することを目的とする。
【課題を解決するための手段】
【０００７】
上記の課題を解決するために、本発明の洗眼容器は、有底筒状の容器本体部と、当該容器本体部が上向きに開口する姿勢で当該洗眼容器を自立させるための脚部と、当該脚部と前記容器本体部とを連結する連結部とを含み、前記容器本体部は、その開口部を含む断面楕円形状の洗眼部と、当該容器本体部の底部を形成し、かつ前記洗眼部の短軸方向に沿った圧搾操作力を受けることにより変形して当該容器本体部内に収容された洗眼液を撹拌する圧搾部とを含み、前記脚部は、前記短軸方向における前記圧搾部の両側に位置しかつ弾性変形可能に形成され、前記連結部を介して前記圧搾部の側面に連結されることで、当該脚部の外側から前記連結部を介して前記圧搾部に前記圧搾操作力を入力可能に設けられているものである。
【０００８】
この洗眼容器を用いた洗眼では、例えば親指と人差し指を使って、前記洗眼部の短軸方向両側の位置で前記脚部を外側から摘み、当該脚部に圧力（圧搾操作力）を加えることで、当該脚部および連結部を介して前記圧搾部を圧搾（スクイズ）する。この構成によれば、従来の洗眼容器のように圧搾部を直接指先で摘むのではなく、上記の通り、脚部を摘んで当該脚部および連結部を介して圧搾部を圧搾するので、洗眼容器を摘む際の位置や広さ（面積）について脚部の制約を受けることが無くなる。換言すれば、洗眼容器の持ち方についてその自由度が向上する。そのため、常に指先だけで洗眼容器を摘み、さらに指先を顔面に向けた状態で圧搾操作を行う必要がある従来の洗眼容器に比べると、洗眼容器を自立可能としながらも、より使い易いものとなる。また、指先を顔面に向けることなく洗眼容器を摘むことが可能となることで、より安定した洗眼が可能となる。
【０００９】
なお、この洗眼容器においては、前記容器本体部、前記脚部および前記連結部が弾性変形可能な同一材料により一体に形成されているのが好適である。
【００１０】
この構成によれば、一種類の材料を用いて効率良く洗眼容器を生産することが可能となるため、生産性が向上するという利点がある。
【００１１】
また、この洗眼容器において、前記脚部は、前記圧搾部を包囲する筒状であり、前記短軸方向における前記圧搾部の両側の位置で前記連結部を介して前記圧搾部の側面に連結されているのが好適である。
【００１２】
この構成によれば、テーブル等の平坦面上に、より安定的に自立姿勢で載置することが可能となる。また、圧搾操作により弾性変形した脚部の復帰力がより大きくなる。そのため、この復帰力が連結部を介して圧搾部に働くことで、圧搾操作に伴い変形した圧搾部をより速やかに復帰させることが可能となる。よって、圧搾操作による洗眼液の撹拌を効率良く行いながら洗眼を行うことが可能となる。また、当該洗眼容器を形成する上記材料の自由度が向上するという利点もある。すなわち、脚部の復帰力が大きくなることで、圧搾状態の圧搾部を、脚部の復帰力だけで復帰させることが可能となる。例えば圧搾部の壁の肉厚をごく薄く形成しておき、圧搾状態の圧搾部を主に脚部の復帰力だけで復帰させることが考えられる。この場合には、脚部の弾性変形が可能であれば、圧搾部自体は必ずしも弾発力を有する必要がない。そのため、弾性力と柔軟性に優れたエラストマー等はもとより、ポリエチレン等の樹脂材料を広く用いて洗眼容器を形成することも可能となる。
【００１３】
また、上記洗眼容器において、前記脚部は、その外側面が洗眼部の外側面に連続するスカート状に形成されるとともに、当該脚部のうちその周方向における前記連結部の位置であってかつ当該連結部よりも前記洗眼部側の位置に開口部を備えているのが好適である。
【００１４】
この構成によれば、洗眼容器の側面全体が略連続した構成となるので、洗眼容器を持ち易くなり、より使い易いものとなる。しかも、脚部のうちその周方向における連結部の位置であってかつ洗眼部側の位置に開口部を備えているので、脚部を上記のようなスカート状に形成しながらも、圧搾操作時（加圧時）に洗眼部が前記短軸方向外向きに引っ張られて変形することが抑制される。よって、洗眼中に、前記変形によって顔面と洗眼容器の間から洗眼液が漏ることが抑制される。
【００１５】
なお、前記連結部は、圧搾操作時の操作力を脚部から圧搾部に適切に伝達できる形状であればよいが、例えば、前記連結部は、前記脚部側から前記圧搾部側に向かって先細りに形成されているのがより好適である。
【００１６】
この構成によれば、脚部に加えられる圧搾操作力を効率良く脚部から圧搾部に伝達させて当該圧搾部を変形させることが可能となる。
【発明の効果】
【００１７】
以上説明したように、本発明の洗眼容器によれば、洗眼容器の持ち方についてその自由度を高めることができる。そのため、常に指先だけで洗眼容器を摘み、さらに指先を顔面に向けた状態で圧搾操作を行う必要がある従来の洗眼容器に比べると、洗眼容器の自立を可能としながらも、より使いやすく、安定した洗眼が可能となる。
【図面の簡単な説明】
【００１８】
【図１】本発明の洗眼容器の第１実施形態を示す斜視図である。
【図２】洗眼容器を示す平面図である。
【図３】洗眼容器を示す正面図（図２のＩＩＩ方向矢視図）である。
【図４】洗眼容器を示す側面図（図２のＩＶ方向矢視図）である。
【図５】洗眼容器を示す底面図である。
【図６】洗眼容器を示す断面図（図３のＶＩ−ＶＩ線断面図）である。
【図７】洗眼容器を示す断面図（図２のＩＶ−ＩＶ線断面図）である。
【図８】洗眼容器の使用状態（洗眼容器を摘んだ状態）を示す図である。
【図９】本発明の洗眼容器の第２実施形態を示す正面図（第１実施形態の図３に相当する図）である。
【図１０】洗眼容器を示す側面図（第１実施形態の図４に相当する図）である。
【図１１】洗眼容器を示す断面図（図１０のＸＩ−ＸＩ線断面図）である。
【図１２】洗眼容器を示す断面図（図９のＸＩＩ−ＸＩＩ線断面図）である。
【図１３】（ａ）は従来の洗眼容器を示す側面図であり、（ｂ）は（ａ）の洗眼容器の使用状態（洗眼容器を摘んだ状態）を示す図である。
【発明を実施するための形態】
【００１９】
以下、添付図面を参照しながら本発明の好ましい実施の一形態について詳述する。
【００２０】
図１〜図７は、第１実施形態にかかる洗眼容器１Ａを示しており、図１は斜視図で、図２は平面図で、図３は正面図で、図４は側面図で、図５は底面図で、図６及び図７は断面図で、それぞれ洗眼容器１Ａを示している。
【００２１】
これらの図に示すように、洗眼容器１Ａは、洗眼液を収容する有底筒状の容器本体部１０と、この容器本体部１０の開口部を上向きにした姿勢で自立させるための脚部２０と、この脚部２０と容器本体部１０とを連結する連結部２５とを備え、これら容器本体部１０、脚部２０及び連結部２５が弾性変形可能な柔軟材料により一体に成形されたものである。なお、洗眼容器１Ａを形成する材料については後に説明する。
【００２２】
前記容器本体部１０は、図６及び図７に示すように、当該容器本体部１０の開口部を含む洗眼部１１と、この洗眼部１１に繋がって当該容器本体部１０の底部を形成する先細り形状の圧搾部１２とから構成されている。前記洗眼部１１は、眼の表面を洗眼液に浸して洗眼を行う部分であり、圧搾部１２は、洗眼部１１内の洗眼液を撹拌するためにユーザが圧搾（スクイズ）操作を行う部分である。
【００２３】
前記洗眼部１１は、下向きに窄まる楕円錐台状を成している。具体的には、洗眼部１１は、目を包囲することが可能な楕円状を成す接顔部１１ａと、この接顔部１１ａから下方に向かって漏斗状に延びる断面楕円状の周壁部１１ｂと、この周壁部の下端部から内向きに延びる棚状部１１ｃとを有している。そしてこの棚状部１１ｃの内側に前記圧搾部１２が繋がっている。圧搾部１２は、下方に向かって先細りの形状を有している。この圧搾部１２は、洗眼部１１の長軸方向に細長で、かつ洗眼部１１の短軸方向に互いに対応する平坦な一対の側壁部１４を有している。
【００２４】
なお、前記洗眼部１１は、圧搾部１２の中心位置から前記長軸方向における一方側の端部（図２の右端）までの寸法が、同他方側の端部（図２の左端）までの寸法よりも長く形成されている。すなわち、洗眼時には、上記一方側の端部が目尻側に、他方側が目頭側に位置するように洗眼容器１Ａを接顔することで、圧搾部１２を眼の中心に配置した状態で目全体を適切に覆い得るようになっている。
【００２５】
前記脚部２０は、図５に示すように、前記圧搾部１２をその全周に亘って連続的に包囲する略円筒状に形成されるとともに、図６に示すように、当該脚部２０の外側面が洗眼部１１の前記周壁部１１ｂの外側面に連続するように、前記周壁部１１ｂの下端部に繋がったスカート状に形成されている。この脚部２０の下端面は前記圧搾部１２の底部と面一、あるいは底部より下方に突出している。これにより、洗眼容器１Ａは、脚部２０の下端面を接地させることで自立することが可能となっている（図６及び図７）。
【００２６】
前記脚部２０は、２つの前記連結部２５を介して容器本体部１０の前記圧搾部１２に連結されている。具体的には、図５に示すように、脚部２０の内側面と圧搾部１２の前記側壁部１４との間にそれぞれ連結部２５が介設されることで、前記洗眼部１１の短軸方向において、前記圧搾部１２の両側の位置でそれぞれ圧搾部１２と脚部２０とが連結されている。
【００２７】
前記連結部２５は、脚部２０の周方向に沿って延びる第１板状部２６ａとその中央から下向きに延びる第２板状部２６ｂとを含む断面Ｔ字形である。前記第１板状部２６ａは、その幅寸法が脚部２０側から圧搾部１２側に向かって漸減するように設定されており、これにより、連結部２５は全体として先細りの形状を有している（図５参照）。
【００２８】
前記脚部２０のうち、各連結部２５の上側の位置には開口部２２が形成されており、これにより、脚部２０は、当該脚部２０のうちその周方向における連結部２５の位置で前記洗眼部１１から切り離されている。
【００２９】
なお、図１、図２、図６及び図７中において符号１６は、当該洗眼容器１Ａを、洗眼液が収納される図外のボトルに係止するための係止部である。すなわち、使用前の洗浄液が収容されるボトルは、頂部に注出口を備えるボトル本体とその注出口を塞ぐキャップとを備えており、容器本体部１０の内側に前記キャップが介在するように当該洗眼容器１Ａを前記キャップに被せると、前記係止部１６が前記キャップの被係止部に係合して前記ボトルの頂部に洗眼容器１Ａが保持されるようになっている。
【００３０】
次に、上述した洗眼容器１Ａを用いて洗眼を行う手順について説明する。
【００３１】
この洗眼容器１Ａを用いて洗眼を行う場合には、まず、上記ボトルから容器本体部１０に適量の洗眼液を収容する。この際、一方の手で洗眼容器１Ａを持ち、他方の手でボトルを持って洗眼容器１Ａに洗眼液を注いでもよいが、洗眼容器１Ａは、上記の通り脚部２０を接地させることで自立可能なため、洗眼容器１Ａをテーブル上に自立させて洗眼液を注ぎ入れることで、安定的に、また正確に適量の洗眼液を洗眼容器１Ａに収容することができる。なお、図示を省略しているが、容器本体部１０の前記洗眼部１１の周壁部１１ｂには、洗眼液の適量を示す目盛りが形成されており、従って、ユーザはこの目盛りを目安にして適量の洗眼液を洗眼容器１Ａに収容することができる。
【００３２】
洗眼容器１Ａに洗眼液を収容したら、顔面を下向きにし、洗眼部１１の長軸方向と顔面の左右方向とが一致するように洗眼容器１Ａの向きを合わせ、洗眼部１１で目全体を覆うように洗眼容器１Ａを顔面に押し当てる。この場合、例えば図８に示すように、洗眼部１１の長軸方向と平行な方向に親指と人差し指とを沿わせて脚部２０を摘んだ状態で洗眼容器１Ａを顔面に押し当てる。そしてこの状態で、親指と人差し指とで繰り返し脚部２０を押し潰すように圧力し、これにより脚部２０および連結部２５を介して前記圧搾部１２を圧搾（スクイズ）する。このように圧搾部１２を圧搾すると、圧搾部１２内の洗眼液が洗眼部１１に押し出されて洗眼液が撹拌されるため、この洗眼液に眼の表面を浸すことで眼の洗浄を行うことができる。
【００３３】
以上のような洗眼容器１Ａは、従来の洗眼容器のように圧搾部を直接指先で摘んで圧搾するのではなく、上記の通り、脚部２０を摘んで当該脚部２０および連結部２５を介して圧搾部１２を圧搾する構成である。このような構成によれば、洗眼容器１Ａを摘む際の位置や広さ（面積）について従来の洗眼容器のように脚部の制約を受けることがない。つまり、洗眼容器１Ａの持ち方についてその自由度が高い。そのため、図８に示したように、洗眼部１１の長軸方向と平行な方向に親指と人差し指とを沿わせて脚部２０を摘み、この状態で脚部２０を圧搾操作することができる。このような脚部２０の摘み方によれば、指先だけでなく、指の腹部分や関節部分など広い範囲を使って洗眼容器１Ａを摘むことができる。また、洗眼容器１Ａを持った腕についてはその肘を張って広く脇を開いた楽な姿勢で圧搾操作を行うことができる。また、女性ユーザも、爪の長さを気にせず確実に洗眼容器１Ａを摘んで圧搾操作を行うことができる。また、指先を顔面に向けることなく洗眼容器を摘むことが可能となることで、より安定した洗眼が可能となる。
【００３４】
従って、この洗眼容器１Ａによれば、常に指先だけで洗眼容器を摘み、さらに指先を顔面に向けた状態で圧搾操作を行う必要がある従来の洗眼容器に比べると、自立可能な構成でありながらも、より使いやすく、安定して洗眼を行えるものとなる。
【００３５】
特に、上記洗眼容器１Ａは、脚部２０が、図５に示すように、前記脚部２０をその全周に亘って連続的に包囲する略円筒状であるため、洗眼容器１Ａをバランス良く接地させることが可能である。従って、より安定的に洗眼容器１Ａを自立させることができる。
【００３６】
また、このような略円筒状の脚部２０によれば、圧搾操作により弾性変形した脚部２０の復帰力が比較的大きくなる。そのため、この復帰力が連結部２５を介して圧搾部１２に働くことで、圧搾操作に伴い変形した圧搾部１２をより速やかに復帰させることが可能となる。よって、圧搾操作による洗眼液の撹拌を効率良く行いながら洗眼を行うことができるという利点もある。さらに、当該洗眼容器を形成する上記材料の自由度が向上するという利点もある。すなわち、脚部２０の復帰力が大きくなることで、圧搾状態の圧搾部１２を脚部２０の復帰力だけで復帰させることが可能となる。例えば圧搾部１２の壁の肉厚をごく薄く形成しておき、圧搾状態の圧搾部１２を脚部２０の復帰力だけで復帰させることが考えられる。このような場合には、脚部２０の弾性変形が可能であれば、圧搾部１２自体は必ずしも弾発力を有する必要がない。そのため、後述するエラストマー等、弾性力と柔軟性に優れた材料はもとより、ポリエチレン等の樹脂材料を広く用いて洗眼容器を形成することが可能となる。
【００３７】
また、脚部２０は、その外側面が洗眼部１１の前記周壁部１１ｂの外側面に連続するように、前記周壁部１１ｂの下端部に繋がったスカート状に形成されているので、洗眼容器１Ａの側面に凹凸が殆ど無い。このような構成によれば、指の大きさ等により持ち易さが左右されることが無く、男女を問わず使い易いものとなる。
【００３８】
しかも、前記脚部２０のうち、連結部２５の上側に開口部２２が形成され、これにより連結部２５の上側の位置で洗眼部１１と脚部２０が切り離されているので、脚部２０を上記のようなスカート状に形成しながらも、洗眼時に洗眼容器１Ａからの液漏れを抑制することができる。つまり、前記開口部２２が無い場合には、圧搾操作時（加圧時）に洗眼部１１が引っ張られて洗眼部１１（接顔部１１ａ）が短軸方向に開くように変形し、これにより顔面と洗眼容器１Ａとの間に隙間が形成されて液漏れが生じることが考えられる。しかし、脚部２０に開口部２２が形成された上記洗眼容器１Ａの構成によれば、連結部２５の上側の位置で洗眼部１１と脚部２０とが切り離されていることで、圧搾操作時（加圧時）に洗眼部１１が引っ張られ難く、上記のような洗眼部１１（接顔部１１ａ）の変形が抑制される。従って、洗眼部１１の変形による洗眼容器１Ａからの液漏れを効果的に抑制することができる。
【００３９】
また、上記開口部２２が形成されていることで、例えば図８に示すように洗眼容器１Ａを摘んだ際には、指の表面が一部当該開口部２２に入り込み、脚部２０に対する指の係りが良くなる。つまり、滑り止め効果を得ることができる。従って、上記洗眼容器１Ａによれば、さらに安定的に洗眼容器１Ａを摘んで洗眼を行うことができるという利点もある。
【００４０】
図９〜図１２は、第２実施形態にかかる洗眼容器１Ｂを示しており、図９は正面図で、図１０は側面図で、図１１及び図１２は断面図で、それぞれ洗眼容器１Ｂを示している。なお、この第２実施形態にかかる洗眼容器１Ｂの平面図及び底面図は第１実施形態（図２、図５）のものと共通である。
【００４１】
同図に示すように、第２実施形態の洗眼容器１Ｂは、脚部２０の上端部が洗眼部１１から完全に切り離されている点で、第１実施形態の洗眼容器１Ａと構成が相違する。つまり、この洗眼容器１Ｂは、脚部２０が連結部２５のみで容器本体部１０に繋がっている。
【００４２】
この構成によれば、脚部２０が洗眼部１１から切り離されているため、圧搾操作に伴い洗眼部１１が引っ張られて洗眼部１１（接顔部１１ａ）が変形するというおそれが一切無い。そのため、圧搾操作に伴い洗眼部１１（接顔部１１ａ）が変形することによる洗眼容器１Ａからの液漏れを確実に防止することができるという利点がある。
【００４３】
なお、上述した洗眼容器１Ａ、１Ｂを成形するための弾性変形可能な柔軟素材は、弾性力と柔軟性とを有する素材であれば、特に規定されないが、成形性と耐薬品性と耐熱性とを有しており、臭気を伴わないものであるのが好ましい。また、必要に応じて抗菌活性を付与してもかまわない。さらに、安全性を考慮して平成２３年厚生労働省告示第６５号、第十六改正日本薬局方一般試験法に適合するものであるのが好ましい。
【００４４】
具体的には、熱可塑性樹脂、シリコン樹脂、熱可塑性エラストマー、天然ゴム、ウレタンゴム等が挙げられ、また、これらを組み合わせたものであっても良い。熱可塑性樹脂の場合、例えばオレフィン系樹脂では、熱可塑性エラストマーや水素添加スチレン系熱可塑性エラストマーを組み合わせることで、成形性が向上することが知られている。
【００４５】
熱可塑性エラストマーとしては、スチレン系、オレフィン系、ウレタン系、ポリエステル系、ポリアミド系、フッ素系、塩化ビニール系等の中から適宜、成形性、耐薬品性、耐汚れ付着性、環境性、コスト等を考慮して選択することができるが、中でもスチレン系、オレフィン系は好ましい。これらは単独で用いても良いし、複数を組み合わせて、例えば積層する等して用いても良い。
【００４６】
具体的には、旭化成社製のタフテック（登録商標）シリーズ  Ｈ１０５２、Ｈ１０５３、クラレ社製のセプトン（登録商標）シリーズ  ＣＪ００１、ＣＪ００２、ＣＪ１０１、ＣＪ１０２、その他、リケンテクノ社製のレオストマーシリーズ、東洋紡社製のサーリンク（登録商標）シリーズ  ３１４０、３１６０、４１５５、４１６５（オレフィン系）等が挙げられる。
【００４７】
硬さは、ＪＩＳ  Ｋ６２５３（デュロメータータイプＡ）による測定値で５０〜８０、引張り強さと伸びは、ＪＩＳ  Ｋ６２５３（３号ダンベル  引張速度５００ｍｍ／ｍｉｎ）による測定値で５〜２０ＭＰａ、３００％引張応力が１．５〜５ＭＰａ程度の範囲であることを目安とする。
【００４８】
以上、本発明の洗眼容器の実施形態について説明したが、上述した洗眼容器１Ａ、１Ｂは、本発明の洗眼容器の例示であって、その具体的な構成は、本発明の要旨を逸脱しない範囲で適宜変更可能である。例えば以下のような構成を採用することもできる。
【００４９】
上記実施形態では、脚部２０は、圧搾部１２を連続して包囲するように円筒状に形成されているが、脚部２０は、少なくとも洗眼部１１の短軸方向において、圧搾部１２の両側に設けられていればよい。従って、脚部２０は、圧搾部１２を断続的に包囲するように、周方向の複数の位置で分断されているものであってもよい。
【００５０】
また、上記実施形態では、連結部２５は断面がＴ字状であるが、これに限らず、断面十字状、断面コ字状、断面筒状であってもよい。要は、脚部２０に圧搾操作力が加えられた時に、出来るだけ変形することなく当該圧搾操作力を圧搾部１２に伝達することができる形状であればよい。従って、脚部２０に加えられる圧搾操作力を適切に圧搾部１２に伝達することができれば、中実の軸状や板状であっても構わない。
【００５１】
また、洗眼容器１Ａ、１Ｂは、脚部２０の表面に、エンボス加工などによる滑り止めが形成されたものであってもよい。この構成によれば、さらに安定的に洗眼容器１Ａ、１Ｂを摘むことが可能となり、洗眼容器１Ａ、１Ｂがさらに使い易いものとなる。
【符号の説明】
【００５２】
１Ａ、１Ｂ  洗眼容器
１０  容器本体部
１１  洗眼部
１１ａ  接顔部
１１ｂ  周壁部
１１ｃ  棚状部
１２  圧搾部
２０  脚部
２５  連結部
【図１】
2014133025.tif 000003
【図２】
2014133025.tif 000004
【図３】
2014133025.tif 000005
【図４】
2014133025.tif 000006
【図５】
2014133025.tif 000007
【図６】
2014133025.tif 000008
【図７】
2014133025.tif 000009
【図８】
2014133025.tif 000010
【図９】
2014133025.tif 000011
【図１０】
2014133025.tif 000012
【図１１】
2014133025.tif 000013
【図１２】
2014133025.tif 000014
【図１３】
2014133025.tif 000015